(57)【要約】【課題】簡単な指示操作を行うだけで、車両のドアウィンドウを少量だけ開けることが可能な車両用ドアウィンドウ開閉装置を提供すること。【解決手段】ドアＥＣＵ１は、少量開放スイッチ１３が押されると、ウィンドウ駆動モータ１４へ駆動信号を出力し、ドアウィンドウを僅かに（例えば３ｃｍ程度）開放した状態（少量開放状態）とする。これにより、例えば車室内の換気等のために、ユーザーがドアウィンドウを僅かに開放したい場合、少量開放スイッチ１３を押すだけで、車両のドアウィンドウを僅かに開放した状態（少量開放状態）とすることができる。そのため、ユーザーはドアウィンドウの開閉キーを少しずつ押しながら、ドアウィンドウの開放量を調整する手間は不要となり、使い勝手が良い。【選択図】図１
2007169915.tif 000002
【特許請求の範囲】
【請求項１】
車両のドアウィンドウの開閉を指示する指示手段と、前記指示手段による開閉指示に基づいて当該ドアウィンドウを開閉させる制御手段を備えた車両用ドアウィンドウ開閉装置であって、
前記指示手段は、前記制御手段に対して前記ドアウィンドウを少量開放状態とするよう指示する少量開放指示を行うことを特徴とする車両用ドアウィンドウ開閉装置。
【請求項２】
前記指示手段は、前記少量開放指示を行うための専用のスイッチを有することを特徴とする請求項１記載の車両用ドアウィンドウ開閉装置。
【請求項３】
車両のドアウィンドウの開閉を指示する指示手段と、前記指示手段による開閉指示に基づいて当該ドアウィンドウを開閉させる制御手段を備えた車両用ドアウィンドウ開閉装置であって、
前記制御手段は、前記ドアウィンドウを開閉中において当該ドアウィンドウが少量開放状態となった場合には、前記ドアウィンドウの開閉を一旦停止する一旦停止動作を行うことを特徴とする車両用ドアウィンドウ開閉装置。
【請求項４】
降雨を検出する降雨検出手段を設け、
前記制御手段は、前記降雨検出手段が降雨を検出した場合に、前記一旦停止動作を行うことを特徴とする請求項３記載の車両用ドアウィンドウ開閉装置。
【請求項５】
前記車両が走行中の道路の道路種別を検出する道路種別検出手段を設け、
前記制御手段は、前記道路種別検出手段の検出結果から、前記車両が高速道路を走行中である場合に、前記一旦停止動作を行うことを特徴とする請求項３または請求項４記載の車両用ドアウィンドウ開閉装置。
【請求項６】
前記車両に搭載された通話機器が利用中であるか否かを検出する利用検出手段を設け、
前記制御手段は、前記利用検出手段の検出結果から、前記通話機器が利用中である場合に、前記一旦停止動作を行うことを特徴とする請求項３から請求項５のいずれかに記載の車両用ドアウィンドウ開閉装置。
【発明の詳細な説明】
【技術分野】
【０００１】
本発明は、車両のドアウィンドウを開閉する車両用ドアウィンドウ開閉装置に関する。
【背景技術】
【０００２】
従来、ユーザーによる車載機器の操作負担を軽減して車両を円滑に走行させる装置が公知である。例えば、特許文献１の装置では、設定された移動経路上の料金所に車両が接近すると、オーディオのボリュームを検知して所定レベルまで下げるとともに、運転席のドアウィンドウを開放し、車両が停止してユーザーが料金を支払うまで待機する。その後、車両が走行を開始し、車両が料金所を通過したことを検知すると、運転席のドアウィンドウを閉じるとともに、オーディオのボリュームを以前のレベルまで戻す。また、設定された移動経路上の踏切に車両が接近した場合も同様、オーディオのボリュームを検知して所定レベルまで下げるとともに、運転席のドアウィンドウを開放し、ユーザーが安全を確認しながら踏切を通過するまで待機する。その後、車両が踏切を通過したことを検知すると、運転席のドアウィンドウを閉じるとともに、オーディオのボリュームを以前のレベルまで戻す。
【特許文献１】特開２００２−２３６０２３号公報
【発明の開示】
【発明が解決しようとする課題】
【０００３】
このように、従来装置では、車両が移動経路上の料金所や踏切に接近するとドアウィンドウを自動で開放し、当該料金上や踏切を通過するとドアウィンドウを自動で閉じた。しかしながら、従来装置では、ユーザーが手動で行うドアウィンドウの開閉については考慮されておらず、例えばユーザーが車室内の換気のために、ドアウィンドウを僅かに(例えば３ｃｍ程度）開放したいと考えた場合、ユーザーはドアウィンドウの開閉キーを少しずつ押しながら調整する必要があり、手間がかかる。
【０００４】
本発明は、上記の問題に鑑みてなされたものであり、簡単な指示操作を行うだけで、車両のドアウィンドウを少量だけ開けることが可能な車両用ドアウィンドウ開閉装置の提供を目的とする。
【課題を解決するための手段】
【０００５】
上記目的を達成するために、請求項１に記載の車両用ドアウィンドウ開閉装置では、車両のドアウィンドウの開閉を指示する指示手段と、指示手段による開閉指示に基づいて当該ドアウィンドウを開閉させる制御手段を備えた車両用ドアウィンドウ開閉装置であって、指示手段は、制御手段に対してドアウィンドウを少量開放状態とするよう指示する少量開放指示を行うことを特徴とする。
【０００６】
このように、本発明の車両用ドアウィンドウ開閉装置では、指示手段は、制御手段に対してドアウィンドウを少量開放状態とするよう指示する少量開放指示を行う。これにより、例えば車室内の換気のために、ユーザーがドアウィンドウを少量だけ開放したいと考えた場合、指示手段から少量開放指示を行うだけで、車両のドアウィンドウを少量だけ開放することできる。そのため、ユーザーはドアウィンドウの開閉キーを少しずつ押しながら、ドアウィンドウの開放量を調整する手間は不要となり、使い勝手が良い。
【０００７】
請求項２に記載のように、指示手段は、少量開放指示を行うための専用のスイッチを有することが望ましい。これにより、ユーザーは当該スイッチから少量開放指示を容易かつ確実に行うことができる。
【０００８】
請求項３に記載の車両用ドアウィンドウ開閉装置では、車両のドアウィンドウの開閉を指示する指示手段と、指示手段による開閉指示に基づいて当該ドアウィンドウを開閉させる制御手段を備えた車両用ドアウィンドウ開閉装置であって、制御手段は、ドアウィンドウを開閉中において当該ドアウィンドウが少量開放状態となった場合には、ドアウィンドウの開閉を一旦停止する一旦停止動作を行うことを特徴とする。
【０００９】
このように、本発明の車両用ドアウィンドウ開閉装置では、制御手段は、ドアウィンドウを開閉中において当該ドアウィンドウが少量開放状態となった場合には、ドアウィンドウの開閉を一旦停止する。これにより、例えば車室内の換気等のために、ユーザーがドアウィンドウを少量だけ開放したいと考えた場合でも、通常通りドアウィンドウの開閉を行えば、当該ドアウィンドウが少量開放状態となった場合に、その開閉が一旦停止される。そのため、ユーザーはドアウィンドウの開閉キーを少しずつ押しながら、ドアウィンドウの開放量を調整する手間は不要となり、使い勝手が良い。
【００１０】
請求項４に記載のように、降雨を検出する降雨検出手段を設け、制御手段は、降雨検出手段が降雨を検出した場合に、一旦停止動作を行うことが望ましい。これにより、車室内に雨摘が入り込むのを防止しつつ、車室内の換気等を行うことができる。
【００１１】
請求項５に記載のように、車両が走行中の道路の道路種別を検出する道路種別検出手段を設け、制御手段は、道路種別検出手段の検出結果から、車両が高速道路を走行中である場合に、一旦停止動作を行うことが望ましい。これにより、車室内に突風が入り込むのを防止しつつ、車室内の換気等を行うことができる。
【００１２】
請求項６に記載のように、車両に搭載された通話機器が利用中であるか否かを検出する利用検出手段を設け、制御手段は、利用検出手段の検出結果から、通話機器が利用中である場合に、一旦停止動作を行うことが望ましい。これにより、車外の騒音によって通話が妨げられるのを防止しつつ、車室内の換気等を行うことができる。
【発明を実施するための最良の形態】
【００１３】
（第１実施形態）
図１は、本発明の第１の実施形態における車両用ドアウィンドウ開閉装置の全体構成を示すブロック図である。
【００１４】
図１に示すように、開スイッチ１１および閉スイッチ１２は、メカニカルなスイッチから構成され、図示しないドアウィンドウの開閉を指示する。この開スイッチ１１および閉スイッチ１２は、当該スイッチが押されている間だけ、ドアウィンドウの開閉動作を行うよう指示するものである。前述の開閉指示に関しては、操作キーを表示する表示パネルと、当該表示パネルに表示された操作キーを押したことを検出するタッチパネルを備えたタッチスイッチによって構成しても良い。また、音声認識を利用して行うこととしても良い。
【００１５】
少量開放スイッチ１３は、メカニカルなスイッチから構成され、ドアウィンドウを僅かに（例えば３ｃｍ程度）開放した状態とするよう指示する。この少量開放スイッチ１３は、前述した開スイッチ１１および閉スイッチ１２とは異なり、当該スイッチが押されるたびに、ドアウィンドウを僅かに（例えば３ｃｍ程度）開放した状態（少量開放状態）とするよう指示するものである。なお、前述の指示に関しては、開スイッチ２１および閉スイッチ２２の場合と同様、操作キーを表示する表示パネルと、当該表示パネルに表示された操作キーを押したことを検出するタッチパネルを備えたタッチスイッチによって構成しても良い。また、音声認識を利用して行うこととしても良い。
【００１６】
ウィンドウ開閉モータ１４は、駆動信号に従って回転することにより、ドアウィンドウを開閉させる。
【００１７】
ウィンドウセンサ１５は、例えば光学式の位置検出センサを備え、ドアウィンドウの端部の位置を検出することにより、ドアウィンドウの開放量を検出する。前述した開放量の検出に関しては、ポテンシャルメータ等を備えたセンサを利用することとしても良い。
【００１８】
ドアＥＣＵ１は、公知のコンピュータから構成され、開スイッチ１１および閉スイッチ１２が押されている間、ウィンドウ駆動モータ１４へ駆動信号を継続して出力し、ドアウィンドウの開閉動作を行わせる。さらに、ドアＥＣＵ１は、少量開放スイッチ１３が押されると、ウィンドウセンサ１５からドアウィンドウの開放量を取得するとともに、当該センサの検出する開放量が僅かに（例えば３ｃｍ程度）開放した状態となるよう、ウィンドウ駆動モータ１４へ駆動信号を出力する。
【００１９】
図２は、本実施形態の車両用ドアウィンドウ開閉装置が、車両のドアウィンドウを開閉させる処理に関するフローチャートである。本フローチャートの処理は、所定時間毎に実行される。
【００２０】
ステップ２０１では、ドアＥＣＵ１は、開スイッチ１１が押されたか否かを判定する。開スイッチ１１が押された場合は、ステップ２０２へ進み、当該スイッチが押されている間、ウィンドウ開閉モータ１４へ駆動信号を継続して出力し、ドアウィンドウを開けるよう動作させて処理を終了する。開スイッチ１１が押されていない場合は、ステップ２０３へ進む。
【００２１】
ステップ２０３では、閉スイッチ１２が押されたか否かを判定する。閉スイッチ１２が押された場合は、ステップ２０４へ進み、当該スイッチが押されている間、ウィンドウ開閉モータ１４へ駆動信号を継続して出力し、ドアウィンドウを閉じるよう動作させて処理を終了する。閉スイッチ１２が押されていない場合は、ステップ２０５へ進む。
【００２２】
ステップ２０５では、少量開放スイッチ１３が押されたか否かを判定する。少量開放スイッチ１３が押された場合は、ステップ２０６へ進み、ウィンドウセンサ１５からのセンサ情報に基づいてウィンドウ開閉モータ１４へ駆動信号を出力し、ドアウィンドウを僅かに（例えば３ｃｍ程度）開放した状態（少量開放状態）とし、処理を終了する。少量開放スイッチ１３が押されていない場合は、処理を終了する。
【００２３】
このように、本実施形態の車両用ドアウィンドウ開閉装置では、ドアＥＣＵ１は、少量開放スイッチ１３が押されると、ウィンドウ駆動モータ１４へ駆動信号を出力し、ドアウィンドウを僅かに（例えば３ｃｍ程度）開放した状態（少量開放状態）とする。これにより、例えば車室内の換気等のために、ユーザーがドアウィンドウを僅かに開放したい場合、少量開放スイッチ１３を押すだけで、車両のドアウィンドウを僅かに開放した状態（少量開放状態）とすることができる。そのため、ユーザーはドアウィンドウの開閉キーを少しずつ押しながら、ドアウィンドウの開放量を調整する手間は不要となり、使い勝手が良い。
【００２４】
（第２実施形態）
次に、本発明の第２の実施形態について説明する。本実施形態の車両用ドアウィンドウ開閉装置では、車両が高速道路を走行中にドアウィンドウの開閉動作を行っている際、ドアウィンドウが僅かに開放した少量開放状態となると、当該開閉動作を一旦停止する。上述した点が、本実施形態のポイントである。
【００２５】
図３は、本発明の第２の実施形態における車両用ドアウィンドウ開閉装置の全体構成を示すブロック図である。本実施形態の車両用ドアウィンドウ開閉装置は、ドアＥＣＵ１とナビゲーション装置のナビＥＣＵ２とがＬＡＮ３によって接続された構成となっている。
【００２６】
図３に示すように、位置検出器２１は、例えばＧＰＳ受信機を備え、人工衛星である図示しないＧＰＳ衛星から送信される位置測定用のＧＰＳ信号を受信して、車両の現在位置および進行方向を検出する。車両の現在位置および進行方向の検出に関しては、地磁気センサやジャイロスコープ、ステアリングセンサ等、他のセンサによる検出信号に基づいて行うこととしてもよい。
【００２７】
地図データ記憶器２２は、例えば記憶媒体としてハードディスクを有し、道路情報、建造物情報、各地域の住所情報や道路種別を示す道路種別情報などを含む地図データと、地図画像を表示する地図画像データとを記憶する。地図データおよび地図画像データに関しては、ＣＤ−ＲＯＭやＤＶＤ−ＲＯＭ等に記憶することとしても良い。
【００２８】
ディスプレイ２３は、車載用の小型ディスプレイであり、地図画像の表示を含む各種ナビゲーション表示を行う。前述の各種ナビゲーション表示に関しては、車載用のヘッドアップディスプレイ等を用いることとしても良い。
【００２９】
操作スイッチ２４は、複数のメカニカルなスイッチから構成され、ナビゲーション装置に対して、各種ナビゲーション動作の開始や終了を指示する。前述の各種ナビゲーション指示に関しては、操作キーを表示する表示パネルと、当該表示パネルに表示された操作キーを押したことを検出するタッチパネルを備えたタッチスイッチによって構成しても良い。また、音声認識を利用して行うこととしても良い。
【００３０】
ナビＥＣＵ２は、公知のコンピュータから構成され、地図画像表示を含む各種ナビゲーション動作を実行する。具体的には、ナビＥＣＵ２は、位置検出器２１が検出した車両の現在位置および進行方向に基づいて、地図データ記憶器２２から車両の現在位置周辺の地図画像データを読み出し、車両の現在位置を示すマークを重畳した地図画像をディスプレイ２３に表示させるとともに、図示しないスピーカから各種音声案内を行わせる。
【００３１】
さらに、ナビＥＣＵ２は、位置検出器２１が検出した車両の現在位置と、地図データ記憶器２２に記憶された地図データに含まれる道路種別情報とから、車両が走行中の道路が一般道路であるか高速道路であるかを判別する。そして、前述の判別結果を走行情報として、ＬＡＮ３を介して所定時間毎にドアＥＣＵ１へと送信する。
【００３２】
本実施形態のドアＥＣＵ１は、ＬＡＮ３を介して所定時間毎にナビＥＣＵ２から走行情報を取得する。そして、取得した走行情報を参照し、車両が高速道路を走行中である場合に開スイッチ１１および閉スイッチ１２からドアウィンドウの開閉が指示されると、ウィンドウ駆動モータ１４を駆動してドアウィンドウの開閉動作を行うとともに、ドアウィンドウが僅かに（例えば３ｃｍ程度）開放した状態（少量開放状態）となった場合には、当該開閉動作を一旦停止する。
【００３３】
その他の構成・動作に関しては、前述した第１の実施形態の場合と同様であるため、説明を省略する。
【００３４】
図４は、本実施形態の車両用ドアウィンドウ開閉装置において、車両が高速道路を走行中の場合にドアウィンドウを開閉させる処理に関するフローチャートである。本フローチャートの処理は、所定時間毎に実行される。
【００３５】
ステップ４０１では、ドアＥＣＵ１は、前回取得した走行情報を参照し、車両が高速道路を走行中であるか否かを判定する。車両が高速道路を走行中であると判定された場合は、ステップ４０２へ進む。車両が一般道路を走行中であると判定された場合は、前述した図２のフローチャートにおける、ステップ２０１へ進む。
【００３６】
ステップ４０２では、ドアＥＣＵ１は、開スイッチ１１が押されているか否かを判定する。開スイッチ１１が押されている場合は、ステップ４０３へ進む。開スイッチ１１が押されていない場合は、ステップ４０５へ進む。
【００３７】
ステップ４０３では、ウィンドウ開閉モータ１４へ駆動信号を出力し、ドアウィンドウを開けるよう動作させる。ステップ４０４では、ウィンドウセンサ１５のセンサ出力から、ドアウィンドウが僅かに（例えば３ｃｍ程度）開放した状態（少量開放状態）となったか否かを判定する。ドアウィンドウが僅かに開放した状態となった場合は、ドアウィンドウを開ける動作を一旦停止し、処理を終了する。そうでない場合は、ステップ４０２へ戻り、上述の処理を繰り返す。
【００３８】
ステップ４０５では、ドアＥＣＵ１は、閉スイッチ１２が押されているか否かを判定する。閉スイッチ１２が押されている場合は、ステップ４０６へ進む。閉スイッチ１２が押されていない場合は、前述した図２のフローチャートにおける、ステップ２０５へ進む。
【００３９】
ステップ４０６では、ウィンドウ開閉モータ１４へ駆動信号を出力し、ドアウィンドウを閉じるよう動作させる。ステップ４０４では、ウィンドウセンサ１５のセンサ出力から、ドアウィンドウが僅かに（例えば３ｃｍ程度）開放した状態（少量開放状態）となったか否かを判定する。ドアウィンドウが僅かに開放した状態となった場合は、ドアウィンドウを閉じる動作を一旦停止し、処理を終了する。そうでない場合は、ステップ４０５へ戻り、上述の処理を繰り返す。こうして、車室内に突風が入り込むのを防止しつつ、車室内の換気等を行うことができる。
【００４０】
このように、本実施形態の車両用ドアウィンドウ開閉装置では、車両が高速道路を走行中にドアウィンドウの開閉動作を行っている際、ドアウィンドウが僅かに開放した少量開放状態となると、当該開閉動作を一旦停止する。これにより、例えば車室内の換気等のために、ユーザーがドアウィンドウを少量だけ開放したいと考えた場合でも、通常通りドアウィンドウの開閉を行えば、当該ドアウィンドウが僅かに（例えば３ｃｍ程度）開放した状態で開閉動作が一旦停止される。そのため、ユーザーはドアウィンドウの開閉キーを少しずつ押しながら、ドアウィンドウの開放量を調整する手間は不要となり、使い勝手が良くなる。
【００４１】
（第３実施形態）
次に、本発明の第３の実施形態について説明する。本実施形態の車両用ドアウィンドウ開閉装置では、ハンズフリー通話装置２５の利用中においてドアウィンドウの開閉動作を行った場合、ドアウィンドウが僅かに開放した少量開放状態となると、当該開閉動作を一旦停止する。上述した点が、本実施形態のポイントである。
【００４２】
図５は、本発明の第３の実施形態における車両用ドアウィンドウ開閉装置の全体構成を示すブロック図である。
【００４３】
図５に示すように、ハンズフリー通話装置２５は、図示しない携帯電話と接続され、ユーザーが車両を運転しつつ車外との通話を行う機器である。このハンズフリー通話装置２５は、例えば車外からの着信があった場合等、当該装置の利用が開始されると、ナビＥＣＵ２へ利用信号を出力する。また、当該装置の利用が終了すると、ナビＥＣＵ２へ終了信号を出力する。
【００４４】
本実施形態のナビＥＣＵ２は、ハンズフリー通話装置２５から出力される利用信号および終了信号から、ハンズフリー通話装置２５が利用中（通話中）であるか否かを判断する。そして、前述の判別結果を利用情報として、ＬＡＮ３を介して所定時間毎にドアＥＣＵ１へと送信する。
【００４５】
本実施形態のドアＥＣＵ１は、ＬＡＮ３を介して所定時間毎にナビＥＣＵ２から利用情報を取得する。そして、取得した利用情報を参照し、ハンズフリー通話装置２５が利用中である場合に開スイッチ１１および閉スイッチ１２からドアウィンドウの開閉が指示されると、ウィンドウ駆動モータ１４を駆動してドアウィンドウの開閉動作を行うとともに、ドアウィンドウが僅かに（例えば３ｃｍ程度）開放した状態（少量開放状態）となった場合には、当該開閉動作を一旦停止する。
【００４６】
その他の構成・動作に関しては、前述した第２の実施形態の場合と同様であるため、説明を省略する。
【００４７】
図６は、本実施形態の車両用ドアウィンドウ開閉装置において、ハンズフリー通話装置２５が利用中である場合にドアウィンドウを開閉させる処理に関するフローチャートである。本フローチャートの処理は、前述した図４のフローチャートの処理に対し、ハンズフリー通話装置２５が利用中であるか否かを判定するステップを加える。言い換えれば、ステップ６０１以外の全ての処理は、前述した図４のフローチャートの処理と同様であるため、説明を省略する。
【００４８】
ステップ６０１では、ドアＥＣＵ１は、前回取得した利用情報を参照し、ハンズフリー通話装置２５が利用中であるか否かを判定する。ハンズフリー通話装置２５が利用中であると判定された場合は、ステップ６０３へ進む。ハンズフリー通話装置２５が利用されていないと判定された場合は、ステップ６０２へ進む。
【００４９】
このように、本実施形態の車両用ドアウィンドウ開閉装置では、ハンズフリー通話装置２５の利用中においてドアウィンドウの開閉動作を行った場合、ドアウィンドウが僅かに開放した少量開放状態となると、当該開閉動作を一旦停止する。これにより、車外の騒音によって通話が妨げられるのを防止しつつ、車室内の換気等を行うことができる。
【００５０】
（第４実施形態）
次に、本発明の第４の実施形態について説明する。本実施形態の車両用ドアウィンドウ開閉装置では、天候が降雨である場合にドアウィンドウの開閉動作を行った際、ドアウィンドウが僅かに開放した少量開放状態となると、当該開閉動作を一旦停止する。上述した点が、本実施形態のポイントである。
【００５１】
図７は、本発明の第４の実施形態における車両用ドアウィンドウ開閉装置の全体構成を示すブロック図である。
【００５２】
図７に示すように、ワイパー４１は、車両のフロントガラスに取り付けられた図示しないワイパーブレードを動作させることにより、当該フロントガラスに付着した雨滴を除去する。
【００５３】
降雨センサ４２は、例えば赤外線送受信機から構成され、送信した赤外線が雨滴によって吸収されて受信効率が低下すると、降雨を検知して降雨信号を出力する。前述した降雨の検知に関しては、光センサ等を用いることとしても良い。
【００５４】
ボデーＥＣＵ４は、公知のコンピュータから構成され、降雨センサ３２から降雨信号を取得するとワイパー４１へ起動信号を出力して動作させる。また、ボデーＥＣＵ４は、降雨センサ４２からの出力を監視して現在の天候を判別するとともに、当該判別結果を天候情報として、ＬＡＮ３を介して所定時間毎にドアＥＣＵ１へと送信する。
【００５５】
本実施形態のドアＥＣＵ１は、ＬＡＮ３を介して所定時間毎にボデーＥＣＵ４から天候情報を取得する。そして、取得した天候情報を参照し、天候が降雨である場合に開スイッチ１１および閉スイッチ１２からドアウィンドウの開閉が指示されると、ウィンドウ駆動モータ１４を駆動してドアウィンドウの開閉動作を行うとともに、ドアウィンドウが僅かに（例えば３ｃｍ程度）開放した状態（少量開放状態）となった場合には、当該開閉動作を一旦停止する。
【００５６】
その他の構成・動作に関しては、前述した第１の実施形態の場合と同様であるため、説明を省略する。
【００５７】
図８は、本実施形態の車両用ドアウィンドウ開閉装置において、天候が降雨である場合にドアウィンドウを開閉させる処理に関するフローチャートである。本フローチャートの処理は、前述した図４のフローチャートの処理における、車両が高速道路を走行中であるか否かを判定するステップに代えて、天候が降雨であるか否かを判定するステップを設ける。言い換えれば、ステップ８０１以外の全ての処理は、前述した図４のフローチャートの処理と同様であるため、説明を省略する。
【００５８】
ステップ６０１では、ドアＥＣＵ１は、前回取得した天候情報を参照し、天候が降雨であるか否かを判定する。天候が降雨である場合は、ステップ８０２へ進む。天候が降雨でない場合は、前述した図２のフローチャートにおける、ステップ２０１へ進む。
【００５９】
このように、本実施形態の車両用ドアウィンドウ開閉装置では、天候が降雨である場合にドアウィンドウの開閉動作を行った際、ドアウィンドウが僅かに開放した少量開放状態となると、当該開閉動作を一旦停止する。これにより、車室内に雨摘が入り込むのを防止しつつ、車室内の換気等を行うことができる。
【００６０】
前述した第２〜第４実施形態では、ドアＥＣＵ１、ナビＥＣＵ２、ボデーＥＣＵ４の各々がＬＡＮ３を介して協調して動作するよう構成されている。しかしながら、これに限定されるものではなく、これらを統括して制御する専用のＥＣＵを用意しても良い。
【００６１】
前述した各実施形態における車両用ドアウィンドウ開閉装置は、単独でも十分な効果を得ることができる。しかしながら、組み合わせて用いることにより、さらなる効果を期待できる。
【図面の簡単な説明】
【００６２】
【図１】本発明の第１の実施形態における車両用ドアウィンドウ開閉装置の全体構成を示すブロック図である。
【図２】第１の実施形態の車両用ドアウィンドウ開閉装置が、車両のドアウィンドウを開閉させる処理に関するフローチャートである。
【図３】本発明の第２の実施形態における車両用ドアウィンドウ開閉装置の全体構成を示すブロック図である。
【図４】第２の実施形態の車両用ドアウィンドウ開閉装置が、車両のドアウィンドウを開閉させる処理に関するフローチャートである。
【図５】本発明の第３の実施形態における車両用ドアウィンドウ開閉装置の全体構成を示すブロック図である。
【図６】第３の実施形態の車両用ドアウィンドウ開閉装置が、車両のドアウィンドウを開閉させる処理に関するフローチャートである。
【図７】本発明の第４の実施形態における車両用ドアウィンドウ開閉装置の全体構成を示すブロック図である。
【図８】第４の実施形態の車両用ドアウィンドウ開閉装置が、車両のドアウィンドウを開閉させる処理に関するフローチャートである。
【符号の説明】
【００６３】
１…ドアＥＣＵ
１１…開閉スイッチ
１２…閉スイッチ
１３…少量開放スイッチ
１４…ウィンドウ開閉モータ
２…ナビＥＣＵ
２１…位置検出器
２２…地図データ記憶器
２３…ディスプレイ
２４…操作スイッチ
２５…ハンズフリー通話装置
３…ＬＡＮ
４…ボデーＥＣＵ
４１…ワイパー
４２…降雨センサ
【図１】
2007169915.tif 000003
【図２】
2007169915.tif 000004
【図３】
2007169915.tif 000005
【図４】
2007169915.tif 000006
【図５】
2007169915.tif 000007
【図６】
2007169915.tif 000008
【図７】
2007169915.tif 000009
【図８】
2007169915.tif 000010